【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
番組やコマーシャルの放送時間を記録するデータベースと、
外部機器から送信されてきた時刻に関する第１の情報に基づき、上記データベースから上記番組やコマーシャルを特定する第１特定部と、
上記外部機器から送信されてきた画像に関する第２の情報に基づき、上記特定された番組またはコマーシャルの１シーンを特定する第２特定部と、
この第２特定部によって特定されたシーンを、上記外部機器に対して送信する送信部と、
を具備する画像送信システム。
【請求項２】
上記特定された番組またはコマーシャルについて、次回放送する日時情報を、上記外部機器に対して送信する再放送情報送信部を有することを特徴とする請求項１に記載の画像送信システム。
【請求項３】
上記外部機器から上記第１の情報の送信先アドレス情報を、放送データに重畳することを特徴とする請求項１に記載の画像送信システム。
【請求項４】
外部機器から送信されてきた放送画像の取得時刻に関する情報に基づき、番組やコマーシャルを特定し、
上記外部機器から送信されてきた上記放送画像に基づき、上記特定された番組またはコマーシャルの１シーンを特定し、
この特定されたシーンを、上記外部機器に対して送信する、
ことを特徴とする画像送信方法。
【請求項５】
放送局から放送された第１の画像を受信する第１受信部と、
上記第１画像を再生表示する再生表示部と、
上記表示部に表示された画像を静止画像として撮影指示するためのレリーズ部と、
このレリーズ部の操作タイミングに応じた情報に基づいて、上記放送局が用意する第２の画像を、上記第１受信部とは異なる第２の受信部を介して取得する画像取得部と、
を具備するカメラ。
【請求項６】
上記情報は、上記操作タイミングおよび取得した上記静止画像に基づくことを特徴とする請求項５に記載のカメラ。
【請求項７】
上記第１の画像を、再度放送する時間に関する情報を要求する放映時間情報要求信号送信部を有することを特徴とする請求項５に記載のカメラ。
【請求項８】
撮像手段によって得られた画像と、受信した放送画像を、表示する表示手段と、
所定の番組またはコマーシャルが放送されるタイミングで、上記表示手段に表示を行なうことを、上記撮像手段による撮像動作中は禁止する禁止手段と、
を具備することを特徴とするカメラ。
【請求項９】
上記タイミングは、上記番組またはコマーシャルの再放送時であることを特徴とする請求項８に記載のカメラ。
【請求項１０】
放送局から放送された動画像を受信する放送受信部と、
上記動画像を静止画像として記録するタイミングを指示するレリーズ部と、
上記放送局に関連するサーバーに、上記タイミングを送信する送信部と、
上記サーバーから上記タイミングに対応した高品位の静止画像を受信する受信部と、
を具備することを特徴とするカメラ。
【請求項１１】
上記送信部および上記受信部は、通信回線を通じて上記サーバーに接続することを特徴とする請求項１０に記載のカメラ。
【請求項１２】
上記送信部は、上記タイミングに加えて、上記レリーズ部によって指示されたタイミングで取得した画像を、上記サーバーに送信することを特徴とする請求項１０に記載のカメラ。
【請求項１３】
再放送のタイミングに関する情報を送信要求する要求部を有し、上記送信部は上記情報を送信することを特徴とする請求項１０に記載のカメラ。
【請求項１４】
放送局から放送された動画像を受信し、
この受信した動画像を表示し、
上記動画像を静止画像として記録するタイミング指示を入力し、
上記放送局に関連するサーバーに、上記タイミングを送信し、
上記サーバーから上記タイミングに対応した高品位の静止画像を受信する、
ことを特徴とするカメラの画像取得方法。
【請求項１５】
放送局からの動画を受信し、この動画から静止画を取得したタイミング情報を送信可能なカメラと、
上記タイミング情報に基づき上記静止画に対応する高品位静止画を検索し、上記カメラに送信可能なサーバーと、
からなる画像取得システム。
【請求項１６】
上記カメラは上記動画の再放送の日時情報要求を送信可能であり、
上記サーバーは上記日時情報要求に応じて、上記再放送の日時を検索し、上記カメラに日時情報を送信する、
ことを特徴とする請求項１５に記載の画像取得システム。
【手続補正２】
【補正対象書類名】明細書
【補正対象項目名】発明の名称
【補正方法】変更
【補正の内容】
【発明の名称】画像送信システム、画像送信方法、カメラ、カメラの画像取得方法、および画像取得システム
【手続補正３】
【補正対象書類名】明細書
【補正対象項目名】０００１
【補正方法】変更
【補正の内容】
【０００１】
本発明は、テレビ等の放送の送受信機能を有する画像送信システム、画像送信方法、カメラ、カメラの画像取得方法、及び画像取得システムに関する。
【手続補正４】
【補正対象書類名】明細書
【補正対象項目名】０００７
【補正方法】変更
【補正の内容】
【０００７】
本願発明は、このような事情を鑑みてなされたものであり、高品質でテレビ等の放送画像を取得できる画像送信システム、画像送信方法、カメラ、カメラの画像取得方法および画像取得システムを提供することを目的とする。
【手続補正５】
【補正対象書類名】明細書
【補正対象項目名】０００８
【補正方法】変更
【補正の内容】
【０００８】
上記目的を達成するため第１の発明に係わる画像送信システムは、番組やコマーシャルの放送時間を記録するデータベースと、外部機器から送信されてきた時刻に関する第１の情報に基づき、上記データベースから上記番組やコマーシャルを特定する第１特定部と、上記外部機器から送信されてきた画像に関する第２の情報に基づき、上記特定された番組またはコマーシャルの１シーンを特定する第２特定部と、この第２特定部によって特定されたシーンを、上記外部機器に対して送信する送信部と、を具備する。
【手続補正６】
【補正対象書類名】明細書
【補正対象項目名】０００９
【補正方法】変更
【補正の内容】
【０００９】
第２の発明に係わる画像送信システムは、上記第１の発明において、上記特定された番組またはコマーシャルについて、次回放送する日時情報を、上記外部機器に対して送信する再放送情報送信部を有する。
また、第３の発明に係わる画像送信システムは、上記第１の発明において、上記外部機器から上記第１の情報の送信先アドレス情報を、放送データに重畳する。
【手続補正７】
【補正対象書類名】明細書
【補正対象項目名】００１０
【補正方法】変更
【補正の内容】
【００１０】
上記目的を達成するため第４の発明に係わる画像送信方法は、外部機器から送信されてきた放送画像の取得時刻に関する情報に基づき、番組やコマーシャルを特定し、上記外部機器から送信されてきた上記放送画像に基づき、上記特定された番組またはコマーシャルの１シーンを特定し、この特定されたシーンを、上記外部機器に対して送信する。
【手続補正８】
【補正対象書類名】明細書
【補正対象項目名】００１１
【補正方法】変更
【補正の内容】
【００１１】
上記目的を達成するため第５の発明に係わるカメラは、放送局から放送された第１の画像を受信する第１受信部と、上記第１画像を再生表示する再生表示部と、上記表示部に表示された画像を静止画像として撮影指示するためのレリーズ部と、このレリーズ部の操作タイミングに応じた情報に基づいて、上記放送局が用意する第２の画像を、上記第１受信部とは異なる第２の受信部を介して取得する画像取得部と、を具備する。
第６の発明に係わるカメラは、上記第５の発明において、上記情報は、上記操作タイミングおよび取得した上記静止画像に基づく。
第７の発明に係わるカメラは、上記第５の発明において、上記第１の画像を、再度放送する時間に関する情報を要求する放映時間情報要求信号送信部を有する。
【手続補正９】
【補正対象書類名】明細書
【補正対象項目名】００１２
【補正方法】変更
【補正の内容】
【００１２】
上記目的を達成するため第８の発明に係わるカメラは、撮像手段によって得られた画像と、受信した放送画像を、表示する表示手段と、所定の番組またはコマーシャルが放送されるタイミングで、上記表示手段に表示を行なうことを、上記撮像手段による撮像動作中は禁止する禁止手段と、を具備する。
第９の発明に係わるカメラは、上記第８の発明において、上記タイミングは、上記番組またはコマーシャルの再放送時である。
【手続補正１０】
【補正対象書類名】明細書
【補正対象項目名】００１３
【補正方法】変更
【補正の内容】
【００１３】
上記目的を達成するため第１０の発明に係わるカメラは、放送局から放送された動画像を受信する放送受信部と、上記動画像を静止画像として記録するタイミングを指示するレリーズ部と、上記放送局に関連するサーバーに、上記タイミングを送信する送信部と、上記サーバーから上記タイミングに対応した高品位の静止画像を受信する受信部と、を具備する。
【手続補正１１】
【補正対象書類名】明細書
【補正対象項目名】００１４
【補正方法】変更
【補正の内容】
【００１４】
第１１の発明に係わるカメラは、上記第１０の発明において、上記送信部および上記受信部は、通信回線を通じて上記サーバーに接続する。
第１２の発明に係わるカメラは、上記第１０の発明において、上記送信部は、上記タイミングに加えて、上記レリーズ部によって指示されたタイミングで取得した画像を、上記サーバーに送信する。
第１３の発明に係わるカメラは、上記第１０の発明において、再放送のタイミングに関する情報を送信要求する要求部を有し、上記送信部は上記情報を送信する。
【手続補正１２】
【補正対象書類名】明細書
【補正対象項目名】００１５
【補正方法】変更
【補正の内容】
【００１５】
上記目的を達成するため第１４の発明に係わるカメラの画像取得方法は、放送局から放送された動画像を受信し、この受信した動画像を表示し、上記動画像を静止画像として記録するタイミング指示を入力し、上記放送局に関連するサーバーに、上記タイミングを送信し、上記サーバーから上記タイミングに対応した高品位の静止画像を受信する。
【手続補正１３】
【補正対象書類名】明細書
【補正対象項目名】００２６
【補正方法】変更
【補正の内容】
【００２６】
また、この画像処理部５の信号を利用して、撮像素子から入力されてくる画像の特徴などを判定する画像判定機能を有している。例えば、画像情報を加工して得られる輪郭情報から、撮像しているものの形状を検出する形状判定部５ａ、また、画像の特徴を調べて、主要被写体の位置を検出する顔検出部５ｄなどが、このシステムには含まれている。これは、写真撮影時に、ユーザーがどのような写真を撮ろうとしているかを判定して、撮影制御を最適化するためのものである。
【手続補正１４】
【補正対象書類名】明細書
【補正対象項目名】００４２
【補正方法】変更
【補正の内容】
【００４２】
この図２を用いて、本実施形態に係るシステムの動作について説明する。
まず、放送局３３は、番組やコマーシャルをワンセグ部４４からワンセグ放送を行なう。ワンセグ方法は、画質的に静止画鑑賞するには不十分であるが、このワンセグ放送をカメラ１００の放送受信部５ｃが受信すると（図２中の「ア」）、表示パネル８に再生表示する。
【手続補正１５】
【補正対象書類名】明細書
【補正対象項目名】００５３
【補正方法】変更
【補正の内容】
【００５３】
ステップＳ２において、撮影ではなかった場合には、次に、再生か否かの判定を行なう（Ｓ１１）。判定の結果、再生である場合には、記録部９ａまたはメディア９に記録された画像データを表示パネル８に表示する（Ｓ１２）。ここで再生される画像は、撮影レンズ２を介して撮影された画像や、また図２で説明したような放送局３３等から送信され、取得した画像である。なお、ここで再生された画像を、送信設定することにより、データ送受信部９ｃより画像送信を行なえるように構成してもよい。以上の各ステップは、一般的に行われる撮影および送信のフローである。